(57)【要約】【課題】  製造コストを上昇させることなく、燃料電池を電子機器に装着させることが容易な燃料電池、二次電池、および電子機器を提供する。【解決手段】燃料極と、空気極と、前記燃料極と前記空気極とに挟持された電解質膜とを備えた膜電極接合体と、前記燃料極に供給される燃料を収容する燃料収容部と、膜電極接合体と燃料収容部とを収容するとともに、燃料収容部に燃料を供給するための燃料供給口を備えた筐体と、膜電極接合体で生成された電力を外部に出力する第１接続端子ＣＮ１２、ＣＮ１３と、を備えている燃料電池１００。【選択図】図１
2011119041.tif 000002
【特許請求の範囲】
【請求項１】
燃料極と、空気極と、前記燃料極と前記空気極とに挟持された電解質膜とを備えた膜電極接合体と、
前記燃料極に供給される燃料を収容する燃料収容部と、
前記膜電極接合体と前記燃料収容部とを収容するとともに、前記燃料収容部に燃料を供給するための燃料供給口を備えた筐体と、
前記膜電極接合体で生成された電力を外部に出力する第１接続端子と、を備えている燃料電池。
【請求項２】
前記第１接続端子を含む制御回路基板をさらに備え、
前記制御回路基板は前記筐体内に収容され、前記筐体は前記第１接続端子を露出させる開口を備えている請求項１記載の燃料電池。
【請求項３】
正極、および、負極、および、前記正極と前記負極との間に配置されたセパレータを有する電極体と、
前記電極体および電解液を収納した外装容器と、を備え、
前記外装容器は、外部の接続端子と接続される第１接続部および第２接続部を含む第２接続端子を備え、
前記第１接続部と前記第２接続部とは電気的に接続されている二次電池。
【請求項４】
前記外装容器は、互いに対向する２つの主壁と、前記２つの主壁間に延びる側壁とを備え、
前記第１接続部は前記主壁に配置され、前記第２接続部は前記側壁に配置されている請求項３記載の二次電池。
【請求項５】
請求項１記載の燃料電池と、請求項３記載の二次電池と、前記二次電池の第２接続部と電気的に接続される第３接続端子と、を備えた電子機器であって、
前記燃料電池の第１接続端子と、前記二次電池の第１接続部とが電気的に接続された電子機器。
【請求項６】
請求項１記載の燃料電池と、二次電池と、前記燃料電池の第１接続端子と電気的に接続される第３接続端子と、を備え、
前記第３接続端子は、前記第１接続端子と電気的に接続される第３接続部と、前記第２接続端子と電気的に接続される第４接続部と、を備え、前記第３接続部と前記第４接続部とは互いに電気的に接続されている電子機器。
【発明の詳細な説明】
【技術分野】
【０００１】
本発明は燃料電池、二次電池、および、電子機器に関する。
【背景技術】
【０００２】
近年、携帯電話機、ノート型パーソナルコンピュータ、携帯ゲームプレイヤー等、携帯可能な様々な電子機器が提供されている。燃料電池、二次電池等の蓄電手段の高電圧、高エネルギー密度の実現が可能となり、携帯型の電子機器等の電源として注目されている。
【０００３】
電子機器が電源として二次電池を搭載している場合、電子機器の二次電池を充電するときには、電子機器はプラグ等を介して固定された交流電力源に接続して充電される。そのため、電源供給源が無い場所で、携帯電子機器を長時間継続して使用することは困難であった。
【０００４】
一方、燃料電池は、燃料を供給することにより、電力を出力することができる。そのため、屋外での使用が想定される電子機器や、電力の周波数等が異なる国や地域での使用が想定される電子機器の電源として、燃料電池が注目されている。
【０００５】
例えば、直接メタノール燃料電池（DMFC : Direct Methanol Fuel Cell）は、エネルギー密度の高いメタノールを燃料に用い、メタノールから電極触媒上で直接電流を取り出す方式を採用した比較的安全性の高い燃料電池であって、電子機器の電源として搭載することが検討されている。
【０００６】
特許文献１では、電力を発生する燃料電池を備えた、携帯電話機を充電するための携帯電話用クレイドルが提案されている。特許文献１に開示された携帯電話用クレイドルでは、接続部が携帯電話の充電用コネクタに接続されて燃料電池の発電電力を携帯電話機へ供給している。
【０００７】
また、従来、図９に示すように、燃料電池１１０と二次電池２１０とを内蔵した燃料電池パックＢＴが提案されている。燃料電池パックＢＴは、外部に電力を供給するための接続端子ＣＮＢ３を備えている。図１０に示す電子機器３００´に搭載された二次電池を取り外して、電子機器３００´の凸部３４Ａ´、３４Ｂ´が燃料電池パックＢＴの保持部１４Ａ´１４Ｂ´に挿入されるようにスライドさせて、燃料電池パックＢＴを電子機器３００´に取り付けることにより、燃料電池パックＢＴの接続端子ＣＮＢ３と、電子機器３００´の接続端子ＣＮ３Ｂとが電気的に接続される。
【０００８】
このように燃料電池パックＢＴを電子機器３００´に取り付けることによって、固定電源供給源が無い場所でも、燃料を補給することによって携帯電子機器の継続使用を可能としている。
【先行技術文献】
【特許文献】
【０００９】
【特許文献１】特開２００６−３０３９９４号公報
【発明の概要】
【発明が解決しようとする課題】
【００１０】
しかしながら、上記特許文献１に開示されたような携帯電話用クレイドルは、携帯電話機の充電用コネクタとクレイドルの接続部とを接続して給電を行なうため、携帯電話機の充電用コネクタの形状毎にクレイドルの接続部の形状を変更する必要があり、汎用品を製造することが困難であった。
【００１１】
また、燃料電池１１０と二次電池２１０とを備えた燃料電池パックＢＴを電子機器３００´に取り付けて使用する場合、電子機器３００´の凹部に収納される二次電池の仕様毎に、燃料電池パックＢＴ側の設計を変更する必要があり、汎用品を製造することが困難であった。さらに、燃料電池パックＢＴに二次電池２１０を搭載すると、製造コストを抑えることが困難であった。
【００１２】
本発明は上記事情に鑑みて成されたものであって、製造コストを上昇させることなく、燃料電池を電子機器に装着させることが容易な燃料電池、二次電池、および電子機器を提供することを目的とする。
【課題を解決するための手段】
【００１３】
本発明の第１態様による燃料電池は、燃料極と、空気極と、前記燃料極と前記空気極とに挟持された電解質膜とを備えた膜電極接合体と、前記燃料極に供給される燃料を収容する燃料収容部と、前記膜電極接合体と前記燃料収容部とを収容するとともに、前記燃料収容部に燃料を供給するための燃料供給口を備えた筐体と、前記膜電極接合体で生成された電力を外部に出力する第１接続端子と、を備えている燃料電池である。
【００１４】
本発明の第２態様による二次電池は、正極、および、負極、および、前記正極と前記負極との間に配置されたセパレータを有する電極体と、前記電極体および電解液を収納した外装容器と、を備え、前記外装容器は、外部の接続端子と接続される第１接続部および第２接続部を含む第２接続端子を備え、前記第１接続部と前記第２接続部とは電気的に接続されている二次電池。
【００１５】
本発明の第３態様による電子機器は、第１態様による燃料電池と、第２態様による二次電池と、前記二次電池の第２接続部と電気的に接続される第３接続端子と、を備えた電子機器であって、前記燃料電池の第１接続端子と、前記二次電池の第１接続部とが電気的に接続された電子機器である。
【００１６】
本発明の第４態様による電子機器は、請求項１記載の燃料電池と、二次電池と、前記燃料電池の第１接続端子と電気的に接続される第３接続端子と、を備え、前記第３接続端子は、前記第１接続端子と電気的に接続される第３接続部と、前記第２接続端子と電気的に接続される第４接続部と、を備え、前記第３接続部と前記第４接続部とは互いに電気的に接続されている電子機器である。
【発明の効果】
【００１７】
本発明によれば、製造コストを上昇させることなく、燃料電池を電子機器に装着させることが容易な燃料電池、二次電池、および電子機器を提供することができる。
【図面の簡単な説明】
【００１８】
【図１】本発明の一実施形態に係る電子機器の構成例を概略的に示す図である。
【図２】本発明の一実施形態に係る二次電池の構成例を説明するための斜視図である。
【図３】本発明の一実施形態に係る燃料電池の構成例を説明するための斜視図である。
【図４】図１に示す電子機器に二次電池を搭載したときの構成例について説明するための斜視図である。
【図５Ａ】本発明の一実施形態に係る燃料電池を電子機器に固定するための一構成例を説明するための図である。
【図５Ｂ】本発明の一実施形態に係る燃料電池を電子機器に固定するための一構成例を説明するための図である。
【図５Ｃ】本発明の一実施形態に係る燃料電池を電子機器に固定するための他の構成例を説明するための図である。
【図６】本発明の第２実施形態に係る二次電池の構成例を説明するための斜視図である。
【図７】本発明の第３実施形態に係る燃料電池の構成例を説明するための斜視図である。
【図８】本発明の第３実施形態に係る電子機器に二次電池を搭載したときの構成例について説明するための図である。
【図９】従来の燃料電池および二次電池の構成例を説明するための斜視図である。
【図１０】従来の電子機器の構成例を説明するための斜視図である。
【発明を実施するための形態】
【００１９】
以下、本発明の第１実施形態に係る燃料電池、二次電池、および、これら燃料電池と二次電池とを電源として搭載する電子機器について、図面を参照して説明する。図１に示すように、本実施形態に係る電子機器は、燃料電池１００および二次電池２００を搭載する電子機器３００である。電子機器３００は、例えば、携帯電話機、ノート型パーソナルコンピュータ、ＰＤＡ等の電子機器である。
【００２０】
二次電池２００は、例えばリチウムイオン二次電池やニッケル水素二次電池等の蓄電池である。二次電池２００は、正極、負極、および、正極と負極との間に配置されたセパレータを有する電極体（図示せず）と、この電極体および電解液を収納した外装容器と、を備えている。
【００２１】
本実施形態に係る二次電池２００の外装容器は、略直方体形状であって、電子機器３００の凹部３２に収容される。二次電池２００は、電子機器３００側の主壁と、燃料電池１００側の主壁と、一対の主面間に延びる４つの側壁とを備えている。電子機器３００の凹部３２は、二次電池２００の主壁と対向する電子機器３００の主面と、４つの側壁と対向する側面とに囲まれている。
【００２２】
燃料電池１００は、図示しない、燃料極、空気極、および電解質膜を備えた膜電極接合体と、燃料極に供給される燃料を収容する燃料収容部と、膜電極接合体および燃料収容部を収容する筐体と、を備えている。膜電極接合体の電解質膜は燃料極と空気極とに挟持されている。また、燃料電池１００は、筐体内に燃料電池１００の動作を制御する制御回路基板（図示せず）を備えている。
【００２３】
制御回路基板は、例えば、膜電極接合体での発電電力に応じて、燃料収容部から燃料極に供給される燃料量を制御するように構成されている。また、燃料電池１００が燃料収容部から燃料極へ燃料を送液するポンプ等の送液手段（図示せず）を備える場合には、送液手段の動作は制御回路基板に搭載された制御回路によってその動作を制御される。
【００２４】
筐体は、燃料収容部へ燃料を補給するための燃料注入口（図示せず）と、燃料収容部内の燃料残量を視認可能とする燃料残量表示部（図示せず）と、を備えている。本実施形態に係る燃料電池１００は、燃料極へ供給する液体燃料としてメタノール燃料を採用した直接メタノール燃料電池（DMFC）である。液体燃料としてメタノール燃料を用いた場合、燃料極の触媒層で次の式（１）に示すメタノールの内部改質反応が生じる。
【００２５】
ＣＨ３ＯＨ＋Ｈ２Ｏ  →  ＣＯ２＋６Ｈ＋＋６ｅ−  …式（１）
なお、メタノール燃料として純メタノールを使用した場合には、メタノールは、空気極の触媒層で生成した水や電解質膜中の水と上記した式（１）の内部改質反応によって改質されるか、または水を必要としない他の反応機構により改質される。
【００２６】
この反応で生成した電子（ｅ−）は、後に説明するように、図３に示す接続端子ＣＮ１２を経由して外部に導かれ、いわゆる電気として電子機器３００および二次電池２００に供給された後、空気極に導かれる。
【００２７】
また、式（１）の内部改質反応で生成したプロトン（Ｈ＋）は、電解質膜を経て空気極に導かれる。空気極には、保湿層を介して、酸化剤ガスとして空気が供給される。筐体には複数の穴が設けられ、これら複数の穴を介して空気極へ空気が供給される。空気極に到達した電子（ｅ−）とプロトン（Ｈ＋）とは、空気極の触媒層で空気中の酸素と次の式（２）に示す反応を生じ、この発電反応に伴って水が生成する。
【００２８】
（３／２）Ｏ２＋６ｅ−＋６Ｈ＋  →  ３Ｈ２Ｏ  …式（２）
上記式（２）の反応によって生じた水（Ｈ２Ｏ）は保湿層に吸収される、あるいは、筐体に設けられた複数の穴を介して水蒸気として外部に放出される。
【００２９】
燃料電池１００は、外部に電力を供給するための接続端子ＣＮ１２を備えている。二次電池２００は、外部に電力を供給するとともに、外部からの電力が供給される接続端子ＣＮ２を備えている。電子機器３００は、外部から電力が供給される接続端子ＣＮ３２を備えている。
【００３０】
二次電池２００の接続端子ＣＮ２は、燃料電池１００の接続端子ＣＮ１２と電気的に接続される接続部ＣＮ２１と、電子機器３００の接続端子ＣＮ３２と電気的に接続される接続部ＣＮ２３と、を備えている。すなわち、燃料電池１００および二次電池２００を電子機器３００に取り付けると、接続端子ＣＮ１２、接続端子ＣＮ２、および接続端子ＣＮ３２は、互いに電気的に接続される。
【００３１】
図２に、二次電池２００の接続端子ＣＮ２近傍を拡大して示す。図２に示すように、二次電池２００は、燃料電池１００側の主壁に配置された接続部ＣＮ２１と、凹部３２の一側面と対向する側壁に配置された接続部ＣＮ２３とを備えている。接続部ＣＮ２１は、燃料電池１００側の主壁において端部近傍に配置されている。接続部ＣＮ２１と接続部ＣＮ２３とは、燃料電池１００側の主壁と凹部３２の一側面と対向する側壁との境界部分において電気的に接続された、略Ｌ字状の導電部材である。
【００３２】
図４に、二次電池２００の接続部ＣＮ２３と、電子機器３００の接続端子ＣＮ３２とを対向させて、二次電池２００を凹部３２に装着したときの概略的な構成例を示す。このように、二次電池２００を凹部３２に装着すると同時に、二次電池２００の接続部ＣＮ２３と電子機器３００の接続端子ＣＮ３２とを電気的に接続させることができる。
【００３３】
燃料電池１００は、図４に示すように二次電池２００が装着された電子機器３００に取り付けられる。図３に示すように、燃料電池１００は、電子機器３００に設けられたＬ字状の凸部３４Ａを保持するように凹んだ保持部１４Ａと、Ｌ字状の凸部３４Ｂの一部を保持する保持部１４Ｂと、電子機器３００に設けられたＬ字状に凹んだ保持部３６に勘合する凸部１６と、を備えている。
【００３４】
燃料電池１００を電子機器３００に装着するときには、まず、図５Ａに示す矢印のように凸部３４Ａを保持部１４Ａの開口に挿入する。その後、燃料電池１００を電子機器３００に対して、その長手方向（Ｙ方向）と略平行な方向にスライドさせる。そうすると、凸部３４Ａの一部が保持部１４ＡのＹ方向と略平行な方向に凹んだ凹部に挿入されるとともに、凸部３４Ｂの一部が保持部１４ＢのＹ方向と略平行な方向に凹んだ凹部に挿入される。
【００３５】
このときに、燃料電池１００の凸部１６が電子機器３００の保持部３６に挿入される。なお、燃料電池１００の凸部１６は、電子機器３００の凸部３４Ｂと同様にＬ字状に突出している。電子機器３００の保持部３６は、燃料電池１００の保持部１４Ｂと同様に、Ｙ方向と略平行な方向に凹んだ凹部を備えている。
【００３６】
このように燃料電池１００を電子機器３００に取り付けることによって、燃料電池１００と電子機器３００とは、Ｘ方向、Ｙ方向およびＺ方向において互いに固定されると同時に、燃料電池１００の接続端子ＣＮ１２と二次電池２００の接続部ＣＮ２１とが電気的に接続される。
【００３７】
上記のように、二次電池２００および燃料電池１００を電子機器３００に装着することによって、接続端子ＣＮ１２、接続端子ＣＮ２、および、接続端子ＣＮ３２を電気的に接続させることができる。したがって、燃料電池１００の接続端子ＣＮ１２から、膜電極接合体で生成された電力を、二次電池２００および電子機器３００へ供給することが可能となる。
【００３８】
また、取り付ける際に、燃料電池１００を電子機器３００に対して、その長手方向（Ｙ方向）と略平行な方向にスライドさせることによって、接続端子ＣＮ１２と接続部ＣＮ２１との表面が擦れ合うことによって、接続端子ＣＮ１２と接続部ＣＮ２１との表面の酸化・腐食等が防止され、接続端子ＣＮ１２と接続部ＣＮ２１との接続不良を回避することができる。
【００３９】
なお、燃料電池１００を電子機器３００に装着する方法は上記の方法に限られない。図５Ｃに示すように、電子機器３００に凹部３を設けて、燃料電池１００に可動の凸部１と固定された凸部２とを設けてもよい。
【００４０】
この場合、燃料電池１００を電子機器３００に取り付けるときには、まず、燃料電池１００の固定された凸部２のＬ字状に延びた先端部を凹部３に挿入する。次に、燃料電池１００の筐体に設けられたボタンＢを押して、凸部１を燃料電池１００の内側に移動させて、凸部２と凹部３とが頭接した部分を支点として燃料電池１００を電子機器３００側に回転させる。凸部１が電子機器３００に頭接したら、ボタンＢを解除してＬ字状に延びた凸部１の先端部を凹部３に挿入させる。
【００４１】
上記のように、燃料電池１００を電子機器３００に取り付ける構成としても、燃料電池１００および二次電池２００を電子機器３００に取り付けると同時に、接続端子ＣＮ１と接続端子ＣＮ２と接続端子ＣＮ３２とを電気的に接続させることができる。
【００４２】
また、二次電池２００の接続端子ＣＮ２の他の構成例を図６に示す。図６に示すように、接続部ＣＮ２１と接続部ＣＮ２３とが二次電池２００の外装容器によって独立して露出するように配置されてもよい。このように接続部ＣＮ２１と接続部ＣＮ２３とが配置されている場合でも、接続部ＣＮ２１と接続部ＣＮ２３とは二次電池２００内部で電気的に接続され（あるいは一体に形成され）ている。図６に示すように二次電池２００を構成した場合であっても、接続端子ＣＮ２を介して接続端子ＣＮ１２と接続端子ＣＮ３２とを電気的に接続させることが可能である。
【００４３】
上記のように燃料電池１００、二次電池２００、および、電子機器３００を構成すると、燃料電池１００の筐体内に収容され、燃料電池１００の動作を制御する制御回路基板（図示せず）に接続端子ＣＮ１２を配置することが可能となり、電力出力の際のロスが低減できる。すなわち、燃料電池１００の接続端子ＣＮ１２は制御回路基板に配置され、筐体の開口（図示せず）により筐体外部に露出されている。
【００４４】
また、燃料電池１００と二次電池２００とを一体に構成する場合よりも、電子機器２００に本来搭載される二次電池２００を使用することが可能なため、燃料電池１００の構成および構造も単純化することができ、二次電池２００の仕様毎に設計を変更させる必要もないため汎用性を増すことができる。したがって、燃料電池１００の製造コストを抑えることができる。さらに、接続端子ＣＮ１２として、電力供給のための端子の他に、電子機器３００と燃料電池１００との間の制御通信用の端子も設けることが可能である。
【００４５】
上記のように、本実施形態に係る燃料電池１００、二次電池２００、および、電子機器を構成することにより、製造コストを上昇させることなく、燃料電池を電子機器に装着させることが容易な燃料電池、二次電池、および電子機器を提供することができる。
【００４６】
次に、本発明の第２実施形態に係る燃料電池、二次電池、および、電子機器について図面を参照して説明する。なお、以下の説明において、上述の第１実施形態に係る燃料電池、二次電池、および、電子機器と同様の構成については、同一の符号を付して説明を省略する。
【００４７】
図７に示すように、本実施形態に係る電子機器３００は、二次電池２００の接続端子（図示せず）と接続される接続部ＣＮ３２と、燃料電池１００の接続端子ＣＮ１３と接続される接続部ＣＮ３１とを含む接続端子を備えている。接続部ＣＮ３２と接続部ＣＮ３１とは互いに電気的に接続されている。
【００４８】
本実施形態に係る燃料電池１００は、電子機器３００の接続部ＣＮ３１と電気的に接続する接続端子ＣＮ１３を備えている。接続端子１３は、燃料電池１００の筐体内に収容された制御回路基板に配置され、筐体に設けられた開口（図示せず）により筐体外部に露出されている。燃料電池１００の制御回路基板は、上述の第１実施形態の場合と同様に、燃料電池１００の動作を制御する制御回路が搭載されている。
【００４９】
図８には、電子機器３００に二次電池２００が装着された状態の構成例を示している。二次電池２００は、上述の第１実施形態と同様に、電子機器の凹部３２に収容されている。本実施形態では、二次電池２００の接続端子は、接続端子ＣＮ３２と接続される接続部（上述の第１実施形態における接続部ＣＮ２３）を備えている。すなわち、二次電池２００の接続端子は、電子機器３００と対向する側壁に配置されている。
【００５０】
なお、図８には、電子機器３００の接続端子は、接続部ＣＮ３１のみが示されている。電子機器３００の接続部３２は、上述の第１実施形態における接続端子ＣＮ３２と同様の構成である。
【００５１】
燃料電池１００を電子機器３００に装着するときには、上述の第１実施形態の場合と同様に、凸部３４Ａを保持部１４Ａの開口に挿入する。その後、燃料電池１００を電子機器３００に対して、その長手方向（Ｙ方向）と略平行な方向にスライドさせて、凸部３４Ａの一部を保持部１４ＡのＹ方向と略平行な方向に凹んだ凹部に挿入するとともに、凸部３４Ｂの一部を保持部１４ＢのＹ方向と略平行な方向に凹んだ凹部に挿入する。このときに、燃料電池１００の凸部１６が電子機器３００の保持部３６に挿入される。
【００５２】
このように燃料電池１００を電子機器３００に取り付けることによって、燃料電池１００と電子機器３００とは、Ｘ方向、Ｙ方向およびＺ方向において互いに固定されると同時に、燃料電池１００の接続端子ＣＮ１３と電子機器３００の接続部ＣＮ３１とが電気的に接続される。
【００５３】
したがって、上記のように、二次電池２００および燃料電池１００を電子機器３００に装着することによって、接続端子ＣＮ１３、接続端子ＣＮ２、および、電子機器３００の接続端子を電気的に接続させることができる。すなわち、電子機器３００に、二次電池２００および燃料電池１００を取り付けると同時に、燃料電池１００の接続端子ＣＮ１３から、膜電極接合体で生成された電力を、二次電池２００および電子機器３００へ供給することが可能となる。
【００５４】
上記のように燃料電池１００、二次電池２００、および、電子機器３００を構成することによって、上述の第１実施形態の場合と同様の効果を得ることができる。すなわち、本実施形態に係る燃料電池１００、二次電池２００、および、電子機器３００によれば、製造コストを上昇させることなく、燃料電池を電子機器に装着させることが容易な燃料電池、二次電池、および電子機器を提供することができる。
【００５５】
なお、この発明は、上記実施形態そのままに限定されるものではなく、実施段階ではその要旨を逸脱しない範囲で構成要素を変形して具体化できる。例えば、上述の第１実施形態において、燃料電池１００の接続端子ＣＮ１２の配置位置は図面のように二次電池２００の接続端子ＣＮ２と接続端子ＣＮ３とが接続する位置の近傍でなくても良い。すなわち、接続端子ＣＮ１２と接続部ＣＮ２１とが電気的に接続するように配置されれば、接続端子ＣＮ２と接続端子ＣＮ３とが接続する位置に関わらず、適宜設計を変更することが可能である。
【００５６】
同様に、上述の第２実施形態において、電子機器３００の接続部ＣＮ３１の配置位置は図面のように二次電池２００の接続端子ＣＮ２と電子機器３００の接続端子とが接続する位置の近傍でなくても良い。すなわち、接続端子ＣＮ１３と接続部ＣＮ３１とが電気的に接続するように配置されれば、接続端子ＣＮ２と接続端子ＣＮ３とが接続する位置に関わらず、適宜設計を変更することが可能である。
【００５７】
なお、上記の実施形態において、二次電池２００は蓄電池であればよく、上述した種類および形状に限られるものではない。第１実施形態に係る二次電池２００は、燃料電池１００の接続端子ＣＮ１２と接続される接続部ＣＮ２１と、電子機器３００の接続端子ＣＮ３と接続される接続部ＣＮ２３とを備えていればよく、外装容器の形状等に合わせて適宜配置位置の設計を変更することが可能である。
【００５８】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５９】
例えば、第１実施形態に係る燃料電池および二次電池と、第２実施形態に係る電子機器とを組み合わせてもよく、第２実施形態に係る燃料電池および電子機器と、第１実施形態に係る二次電池とを組み合わせてもよい。燃料電池と二次電池とを電子機器に取り付けることによって、燃料電池の接続端子と、二次電池の接続端子と、電子機器の接続端子とが互いに電気的に接続されるように構成することによって、上述の第１実施形態および第２実施形態と同様の効果を得ることができる。
【符号の説明】
【００６０】
ＣＮ１２、ＣＮ１３…接続端子（第１接続端子）、ＣＮ２…接続端子（第２接続端子）、ＣＮ３…接続端子（第３接続端子）、ＣＮ２１…接続部（第１接続部）、ＣＮ２３…接続部（第２接続部）、ＣＮ３１…接続部（第３接続部）、１００…燃料電池、２００…二次電池、３００…電子機器。
【図１】
2011119041.tif 000003
【図２】
2011119041.tif 000004
【図３】
2011119041.tif 000005
【図４】
2011119041.tif 000006
【図５Ａ】
2011119041.tif 000007
【図５Ｂ】
2011119041.tif 000008
【図５Ｃ】
2011119041.tif 000009
【図６】
2011119041.tif 000010
【図７】
2011119041.tif 000011
【図８】
2011119041.tif 000012
【図９】
2011119041.tif 000013
【図１０】
2011119041.tif 000014